(57)【要約】【課題】  ケーブルを保護するための保護管の端部に簡易に取付けできるようにした保護カバーを提供する。【解決手段】  配線・配管材Ｋを内部に収容して保護する保護管１０６の端部に取着され、前記保護管１０６から引き出された配線・配管材Ｋが屈曲して配設される屈曲部を被う保護キャップ１であって、前記端部に取着可能な筒状の取着部９と、前記屈曲部を被って内部に収容し、該屈曲部を保護するキャップ部３と、前記キャップ部３から外方に配線・配管材Ｋを引出し可能な引出口１０とを備え、前記取着部９には、一端側が取着部９端部に開口して、取着部の軸方向に連続するスリット１３が設けられており、前記スリット１３は、前記引出口１０と連通するように形成されていることを特徴とするものである。【選択図】    図１
2005295607.tif 000002
【特許請求の範囲】
【請求項１】
配線・配管材を内部に収容して保護する保護管の端部に取着され、
前記保護管から引き出された配線・配管材が屈曲して配設される屈曲部を被う保護キャップであって、
前記端部に取着可能な筒状の取着部と、
前記屈曲部を被って内部に収容し、該屈曲部を保護するキャップ部と、
前記キャップ部から外方に配線・配管材を引出し可能な引出口と、
を備え、
前記取着部には、一端側が取着部端部に開口して、取着部の軸方向に連続するスリットが設けられており、
前記スリットは、前記引出口と連通するように形成されていることを特徴とする保護キャップ。
【請求項２】
前記保護管端部に前記保護キャップを取着した際に、前記保護管端部と前記キャップ部内面との間に前記保護管から引き出された前記配線・配管材が屈曲可能な屈曲空間を形成するよう保護管の侵入規制部が設けられていることを特徴とする請求項１に記載の保護キャップ。
【請求項３】
前記侵入規制部は、前記保護管の端部が衝突可能な段部によって構成されていることを特徴とする請求項２に記載の保護キャップ。
【請求項４】
前記取着部は、保護管の端部を取着部内に差込可能な差込口を有することを特徴とする請求項１乃至請求項３の何れか１項に記載の保護キャップ。
【請求項５】
前記取着部は、キャップ部内に設けられていることを特徴とする請求項１乃至請求項４の何れか１項に記載の保護キャップ。
【請求項６】
前記取着部と前記キャップ部とが別体に形成され、前記取着部にはキャップ取付部が延設されて前記キャップ部は該キャップ取付部に取付けられ、該キャップ取付部の外縁には外方へ向けて開口する引出口が形成され、該引出口と前記スリットとは該開口によって連通することを特徴とする請求項１に記載の保護キャップ。
【請求項７】
請求項１に記載の保護キャップを配線・配管材の保護管の端部に被せて取付けるようにした保護キャップの取付方法であって、
配線・配管材を前記保護管の端部から外部へ引き出した後、該端部に保護キャップの取着部をあてがい、該保護キャップを前記保護管の端部に押し込みながら前記配線・配管材を該保護キャップのスリットを通過させることにより、該保護キャップを前記保護管の端部に取付けるようにしたことを特徴とする配線・配管材の保護管に対する保護キャップの取付方法。
【請求項８】
配線・配管材が引き出される保護管の端部に取付けられる保護キャップであって、
一側が差込口になって前記保護管が差込まれ、他側が引出口になって前記配線・配管材が引き出される筒状の取着部と、該取着部の前記引出口の縁に形成されて前記配線・配管材が通過する凹部と、前記引出口に取付けられるキャップ部とを備えたことを特徴とする保護キャップ。
【発明の詳細な説明】
【技術分野】
【０００１】
本発明は、電線等の配線・配管材を保護管を介して屋内から屋外へ引き出すための引出部を例えば、雨水等から保護するカバーに関するものである。
【背景技術】
【０００２】
この種の保護カバーとして、特許文献１に記載の発明が知られている。この種の保護カバー１００は、図１０に示すように、電線等の配線・配管材Ｋを建物Ｔの屋内から屋外に引き出すための引出部Ｈに用いられるものである。当該保護カバー１００は、図１１に示すように、下面が開口したカバー本体１０１と、該カバー本体１０１の下面を閉鎖する蓋体１０２とから構成されている。該蓋体１０２にはケーブル引出孔１０３が形成されていると共に、筒状の嵌合筒部１０４が設けられている。該蓋体１０２は、ビス１０５，１０５によって前記カバー本体１０１にビス止めされるものである。
【特許文献１】特開２００２−２３８１３２号公報
【０００３】
次に、このように構成された保護カバー１００の使用について説明する。保護カバー１００の使用に先立ち、図１２に示すように、建物Ｔの外壁Ｗに保護管１０６を取り付ける。次に、図１２に示すように、保護管１０６の端部に、保護カバー１００の蓋体１０２の嵌合筒部１０４を嵌合して取り付ける。その後、二点鎖線で示すように、建物Ｔの屋内から引き出された配線・配管材Ｋを保護管１０６内を挿通した後、該保護管１０６の端部から引き出す。次に、配線・配管材Ｋの端部を持ち、該端部を保護カバー１００の蓋体１０２のケーブル引出孔１０３を挿通した後、電柱に設置されている変圧器（図示せず）等に接続する。
【０００４】
その後、図１３に示すように、前記蓋体１０２の上方から前記蓋体１０２にカバー本体１０１を接近させ、図１３に示すように、該カバー本体１０１を該蓋体１０２にビス止めして取付ける。これにより、保護管１０６内に雨水や埃等の侵入する事態が防止される。
【発明の開示】
【発明が解決しようとする課題】
【０００５】
しかし、前述の従来技術においては、建物Ｔの屋内から引き出された配線・配管材Ｋを保護管１０６内を挿通した後、該配線・配管材Ｋを保護カバー１００のケーブル引出孔１０３に通さなければならず、その作業が煩雑で面倒であるという問題があった。
【０００６】
本発明は、前記従来技術に鑑みてなされたもので、その目的は、配線・配管材を保護するための保護管の端部に簡易に取付けできるようにした保護キャップを提供するにある。
【課題を解決するための手段】
【０００７】
請求項１に記載の発明は、配線・配管材を内部に収容して保護する保護管の端部に取着され、前記保護管から引き出された配線・配管材が屈曲して配設される屈曲部を被う保護キャップであって、
前記端部に取着可能な筒状の取着部と、
前記屈曲部を被って内部に収容し、該屈曲部を保護するキャップ部と、
前記キャップ部から外方に配線・配管材を引出し可能な引出口と、
を備え、
前記取着部には、一端側が取着部端部に開口して、取着部の軸方向に連続するスリットが設けられており、
前記スリットは、前記引出口と連通するように形成されていることを特徴とするものである。
【０００８】
請求項２に記載の発明は、請求項１に記載の保護キャップにおいて、前記保護管端部に前記保護キャップを取着した際に、前記保護管端部と前記キャップ部内面との間に前記保護管から引き出された前記配線・配管材が屈曲可能な屈曲空間を形成するよう保護管の侵入規制部が設けられていることを特徴とするものである。
【０００９】
請求項３に記載の発明は、請求項２に記載の保護キャップにおいて、前記侵入規制部は、前記保護管の端部が衝突可能な段部によって構成されていることを特徴とするものである。
【００１０】
請求項４に記載の発明は、請求項１乃至請求項３の何れか１項に記載の保護キャップにおいて、前記取着部は、保護管の端部を取着部内に差込可能な差込口を有することを特徴とするものである。
【００１１】
請求項５に記載の発明は、請求項１乃至請求項４の何れか１項に記載の保護キャップにおいて、前記取着部は、キャップ部内に設けられていることを特徴とするものである。
【００１２】
請求項６に記載の発明は、請求項１に記載の保護キャップにおいて、前記取着部と前記キャップ部とが別体に形成され、前記取着部にはキャップ取付部が延設されて前記キャップ部は該キャップ取付部に取付けられ、該キャップ取付部の外縁には外方へ向けて開口する引出口が形成され、該引出口と前記スリットとは該開口によって連通することを特徴とするものである。
【００１３】
請求項７に記載の発明は、請求項１に記載の保護キャップを配線・配管材の保護管の端部に被せて取付けるようにした保護キャップの取付方法であって、
配線・配管材を前記保護管の端部から外部へ引き出した後、該端部に保護キャップの取着部をあてがい、該保護キャップを前記保護管の端部に押し込みながら前記配線・配管材を該保護キャップのスリットを通過させることにより、該保護キャップを前記保護管の端部に取付けるようにしたことを特徴とするものである。
【００１４】
請求項８に記載の発明は、配線・配管材が引き出される保護管の端部に取付けられる保護キャップであって、
一側が差込口になって前記保護管が差込まれ、他側が引出口になって前記配線・配管材が引き出される筒状の取着部と、該取着部の前記引出口の縁に形成されて前記配線・配管材が通過する凹部と、前記引出口に取付けられるキャップ部とを備えたことを特徴とするものである。
【発明の効果】
【００１５】
請求項１に記載の発明によれば、配線・配管材を保護管内から引き出した後に、保護キャップを該保護管の端部に取付けることができる。このため、配線・配管材を建物の屋内から引き出す作業を完了させた後に、該保護管の端部を被うように保護キャップを該端部に取付けるという作業手順になるため、配線・配管材の引出作業と、保護キャップの取付作業とを分離させることができて、保護キャップの取付作業を容易に行うことができる。
請求項２に記載の発明によれば、前記保護管の差込みを規制する侵入規制部が保護キャップに設けられているため、該侵入規制部と保護キャップのキャップ部内面との間に、前記保護管内から引き出される配線・配管材が屈曲可能な空間を確保することができる。
【００１６】
請求項３に記載の発明によれば、請求項２に記載の侵入規制部は、保護管の端部が衝突可能な段部によって形成されることができる。
【００１７】
請求項４に記載の発明によれば、取着部内へ保護管の端部から差込むことができる。
【００１８】
請求項５に記載の発明によれば、取着部はキャップ部内に設けられて該キャップ部によって保護されるため、キャップ部によって取着部内へのホコリ等の侵入が防止される。
【００１９】
請求項６に記載の発明によれば、配線・配管材を保護管内から引き出した後に、保護キャップを該保護管の端部に取付けることができる。このため、配線・配管材を建物の屋内から引き出す作業を完了させた後に、該保護管の端部を被うように保護キャップを該端部に取付けるという作業手順になるため、配線・配管材の引出作業と、保護キャップの取付作業とを分離させることができて、保護キャップの取付作業を容易に行うことができる。
【００２０】
請求項７に記載の発明によれば、配線・配管材を保護管内から引き出した後に、保護キャップを該保護管の端部に取付けることができる。このため、配線・配管材を建物の屋内から引き出して、例えば、電柱等の変圧器に接続した後に、該保護管の端部を被うように保護キャップを該端部に取付けるという作業手順になるため、配線・配管材の引込作業と、保護キャップの取付作業とを分離させることができて、保護キャップの取付作業を容易に行うことができる。
【００２１】
請求項８に記載の発明によれば、取着部を保護管に取付けた後、該取着部及び保護管内に配線・配管材を引込み、その後、該取着部にキャップ部を取付けるという作業手順になるため、配線・配管材の引込作業の途中で保護キャップを取付けることができる。
【発明を実施するための最良の形態】
【００２２】
図１乃至図６は、第１実施形態を示す。図１は配線・配管材Ｋの引出部に被せられた保護キャップ１の断面図（図２の矢示Ａ―Ａ方向断面図）を示し、図２は保護キャップ１の斜視図を示し、図３は保護キャップ１の底面図を示し、図４は保護キャップ１を保護管１０６に取り付ける前の状態を示し、図５，図６は保護キャップ１の作用を説明する図１と同様の断面図を示す。
【００２３】
図１に示すように、保護キャップ１は、配線・配管材Ｋを内部に収容して保護する保護管１０６の端部に取着され、該保護管１０６から引き出された配線・配管材Ｋが屈曲して配設される屈曲部２を被うものである。
【００２４】
保護キャップ１は、キャップ部３を有する。図２に示すように、該キャップ部３は、一対の短壁４，５と一対の長壁６，７と底壁８とから構成され、該底壁８と対向する面は開口面として開口するキャップ状を成している。該保護キャップ１のキャップ部３は、このようにキャップ状に形成されることにより、図１に示すように、保護管１０６の端部に被せられることが可能になっているものである。
【００２５】
前記キャップ部３内には、前記保護管１０６の端部が取付け可能な取着部９と、図１に示すように、前記保護管１０６から引き出された配線・配管材Ｋを外部へ引き出し可能な引出口１０が設けられている。前記保護管１０６の端部は、前記取着部９に圧入や接着等の手段によって取付け可能とすることができる。
【００２６】
図２に示すように、前記取着部９は、キャップ部３の長壁６，７の内面から内側へ突出した一対の押え片１１，１１と、該キャップ部３の一方の短壁４及び底壁８とによって有底の略筒状に形成されている。該取着部９は、前記キャップ部３の開口面において差込口１２として開口し、該差込口１２から前記保護管１０６の端部が差込まれて例えば、圧入可能になっていると共に、前記一対の押え片１１，１１の間は、スリット１３になっている。該スリット１３は、一端側が前記取着部９の差込口１２に連通して、前記取着部９の軸方向に連続して形成されている。該スリット１３によって、前記取着部９の内部と、前記引出口１０とが連通するものである。このように、該スリット１３によって、前記取着部９の内部と、前記引出口１０とが連通することによって、取着部９から引出された配線・配管材Ｋはスリット１３を経て引出口１０から外部へ引出されることが可能になる。
【００２７】
前記取着部９の断面形状は、前記取着部９に圧入される保護管１０６の断面形状と同一形状である。従って、保護管１０６の断面形状が仮に円形の場合には、図示のように、前記取着部９の断面が円形になるように、前記取着部９を構成する短壁４の内面及び押え片１１，１１の内面は円筒面によって形成されるものである。前記取着部９が仮に弾性を有する部材で形成された場合には、前記取着部９に設けられたスリット１３によって、前記取着部９の内径は拡径可能および縮径可能になって、前記取着部９に圧入される保護管１０６を挟持する、いわゆるバネ性が付与されることが可能になるものである。
【００２８】
前記保護管１０６が前記取着部９内へ差込まれる途中の取着部９内には、侵入規制部１４が設けられている。該侵入規制部１４は、前記取着部９の内径を縮径にすることにより段部状に形成することが可能である。このように、侵入規制部１４が段部状に形成された場合には、前記取着部９内へ向けた所定深さ以上の前記保護管１０６の侵入は、保護管１０６の端部が前記侵入規制部１４に衝突することにより規制されるものである。前記侵入規制部１４を突起によって形成することにより、前記取着部９内へ向けた所定深さ以上の前記保護管１０６の侵入は、保護管１０６の端部が突起状の侵入規制部１４に衝突することにより規制するようにしても良い。又、前記キャップ部３の長壁６，７に孔を形成し、該孔によって前記侵入規制部１４を構成するようにしても良い。このように、前記侵入規制部１４を孔によって構成した場合には、作業者は前記保護管１０６を取着部９内へ挿入する作業を適正の深さの位置で停止することができるものである。
【００２９】
図１に示すように、前記侵入規制部１４と、前記キャップ部３の底壁８内面との間は屈曲用空間１５になって、前記保護管１０６から引き出された配線・配管材Ｋが屈曲可能になっている。該配線・配管材Ｋは該屈曲用空間１５において屈曲して、キャップ部３の引出口１０から外部へ引き出されるものである。
【００３０】
次に、このように構成された保護キャップの取付けについて説明する。図４に示すように、予め、建物Ｔの外壁Ｗに保護管１０６が取付られているものとする。そして、図４に示すように、建物Ｔの屋内から引き出された配線・配管管材Ｋを保護管１０６内を挿通して該保護管１０６の端部から引き出し、電柱の変圧器等に接続する。これにより、配線・配管管材Ｋの引出し工事は完了する。
【００３１】
次に、図４に示すように、保護管１０６の上方から該保護管１０６に保護キャップ１を接近させ、図１に示すように、該保護キャップ１の取着部９の差込口１２に、保護管１０６の上端部をあてがう。その後、保護キャップ１を図中、下方へ押し下げると、図１に示すように、配線・配管材Ｋが保護キャップ１のスリット１３を横切った状態のまま該スリット１３内を取着部９の軸方向に向けて移動しながら、該保護キャップ１は下方へ移動して保護管１０６の端部に例えば、圧入されて取付けられ、図５に示す状態になる。この状態においては、取着部９に設けられているスリット１３は、該取着部９内へ差込まれている保護管１９によって閉鎖するため、該スリット１３から保護キャップ１内への雨水や埃等の侵入が防止される。
【００３２】
そして、図５に示すように、保護管１０６が保護キャップ１の侵入規制部１４に衝突することにより、保護キャップ１の下方への移動が規制される。又、このように、保護管１０６が取着部９内へ所定の深さ差し込まれたことは、スリット１３を通して作業者によって確認される。この状態において、保護キャップ１の底壁８と該侵入規制部１４との間には、屈曲用空間１５が確保されている。従って、配線・配管材Ｋは、保護キャップ１の取着部９に差込まれた保護管１０６の端部、屈曲用空間１５、および引出口１０を介して該保護キャップ１の外部へ至るようになっている。
【００３３】
この実施形態においては、前述のように、建物Ｔの屋内から引き出された配線・配管材Ｋを前記保護管１０６の内部を挿通させた後に、例えば、電柱の変圧器に接続する作業と、前記保護管１０６の端部に保護キャップ１を取付ける作業とを分離できるため、保護キャップ１を保護管１０６に取付ける作業が簡易になる。即ち、図１０乃至図１３に示す従来技術においては、配線・配管材Ｋを保護管１０６内から引き出す途中において、該配線・配管材Ｋを保護カバー１００の引出孔１０３に挿通させなければならない。つまり、従来技術においては、配線・配管材Ｋを保護管１０６から引き出す作業と、前記保護管１０６の端部に保護カバー１００を取付ける作業とを分離できない。しかし、本実施形態においては、前述のように、配線・配管材Ｋの引出作業と、前記保護管１０６の端部に保護キャップ１を取付ける作業とを分離できるため、保護キャップ１を保護管１０６に取付ける作業が簡易になる。
【００３４】
又、前述の従来技術による保護カバー１００（図１０乃至図１３に示す）においては、仮に、保護カバー１００が風化等によって経年的に損傷して、該保護カバー１００を交換する必要が生じた場合、配線・配管材Ｋを改めて引き直して、該配線・配管材Ｋを保護カバー１００の引出孔１０３に挿通させなければならない。しかし、本実施形態においては、保護キャップ１が風化等によって経年的に損傷したような場合に、損傷した保護キャップ１を単に取り外して、新たな保護キャップ１を保護管１０６の端部に被せるだけで足りるため、保護キャップ１の交換を容易に行うことができる。
【００３５】
又、この実施形態においては、前述のように、保護管１０６の上方から保護キャップ１を被せるだけの簡単な作業によって保護管１０６の端部に保護キャップ１を容易に取付けて、該保護管１０６内に雨水や埃等が侵入する事態を防止することができる。
【００３６】
尚、保護キャップ１の短壁５を、前記配線・配管材Ｋの引出方向（図１中、矢示Ｂ方向）に沿うように傾斜させることにより、前記配線・配管材Ｋを該短壁５に案内されるようにして外部へ無理なく引き出すことが可能になる。又、このように、前記短壁５を傾斜させて形成すると共に、図１に示すように、前記引出口１０を前記短壁５に直交させて形成することにより、前記配線・配管材Ｋを前記保護キャップ１内から外部へ無理なく引き出すことが可能になる。又、前記引出口１０と配線・配管材Ｋとの間の隙間を詰め物（図示せず）によって埋めることにより、該隙間からの雨水等の侵入を防止できるものである。
【００３７】
図６は、保護キャップ１の引出口１０内に保護管１０６を挿入し、スリット１３を広げるようにして、該スリット１３から保護管１０６が差込まれるようにした場合を示す。このようにしても、保護キャップ１を保護管１０６の端部に取り付けることができる。
【００３８】
又、以上の説明においては、キャップ部３と取着部９とを一体に形成した場合について説明したが、キャップ部３と取着部９とを別体に形成しても良い。更に、侵入規制部１４をキャップ部３に設けることにより、保護管１０６が保護キャップ１内へ所定深さ以上に差し込まれる事態を防止するようにしてもよい。
【００３９】
図７は、第２実施形態を示す。この第２実施形態の特徴は、取着部９をキャップ部３の外部へ延設した点にある。このように形成しても第１実施形態と同様の作用効果を奏する。
【００４０】
図８は、第３実施形態を示す。この第３実施形態においては、保護キャップ２１が取着部２２と、キャップ部２３との二つの部材を備えている。該取着部２２は筒状に形成されている。該取着部２２には、キャップ取付部２４とスリットが２２ａが形成されている。該スリット２２ａは取着部２２の端部に開口し、取着部２２の軸方向に連続して形成されている。
前記キャップ取付部２４の外縁２４aから凹むようにして引出口２５が形成されている。該引出口２５は外側へ向けて開口している。引出口２５が開口２５aによって外側へ開口することにより、該引出口２５と前記取着部２２内とは該開口２５aによって連通することになって、後述のように、取着部２２内に差込まれた保護管１０６から引出された配線・配管材Ｋが該開口２５ａから引出口２５内へ導かれることが可能になっている。該引出口２５は複数個、例えば、互いに対向するように２個形成されている。キャップ取付部２４には、螺子挿通孔２６が形成されている。
【００４１】
前記キャップ部２３は前記キャップ取付部２４の外形と略同様の形状の開口２７を有して、キャップ状を成している。該キャップ部２３の内面には、ボス部２８が設けられ、該ボス部２８には螺子孔２９が形成されている。キャップ部２３は、開口２７の縁がキャップ取付部２４の外縁２４ａに当接するようにして、該キャップ取付部２４に被せられる。このように、キャップ取付部２４にキャップ部２３が被せられた状態で、キャップ取付部２４の螺子挿通孔２６に螺子３０を挿通し、該螺子３０をキャップ部２３の螺子孔２９に螺着することにより、キャップ取付部２４にキャップ部２３が組付けられるものである。キャップ取付部２４にキャップ部２３が組付けられることにより、前記引出口２５の開口２５ａは前記キャップ部２３の内面によって塞がれた状態になるものである。
【００４２】
次に、このように構成された、保護キャップ２１の用い方について説明する。先ず、図８中一点鎖線で示すように、保護管１０６から配線・配管材Ｋを引出す。次に、前記保護管１０６の上方に保護キャップ２１を位置し、取着部２２のスリット２２ａを通して配線・配管材Ｋを取着部２２内に導き入れると共に、該配線・配管材Ｋを引出口２５内へ開口２５ａから導き入れる。次に、取着部２２を下方へ移動し、取着部２２の下端を保護管１０６の上端にあてがう。その後、取着部２２を下方へ押し下げることにより、取着部２２を保護管１０６に例えば、圧入する。次に、キャップ部２３をキャップ取付部２４の上方から被せるようにして、該キャップ部２３の開口２７の縁を該キャップ取付部２４の外縁２４ａにあてがう。そして、螺子３０をキャップ取付部２４の螺子挿通孔２６に挿通した後、キャップ部２３の螺子孔２９に螺着することにより、キャップ取付部２４にキャップ部２３を組付ける。前記引出口２５の開口２５ａはキャップ部２３内面によって塞がれることになって、該引出口２５を挿通する配線・配管材Ｋは該引出口２５内から脱落しない。
【００４３】
このように、キャップ取付部２４にキャップ部２３が組付けらることにより、保護管１０６から引出された配線・配管材Ｋは取着部２２内を挿通した後、引出口から保護キャップ２１外へ引出されている状態になる。この状態においては、取着部２２に設けられているスリット２２aは、該取着部２２内へ差込まれている保護管１０６によって閉鎖するため、該スリット２２ａから保護キャップ１内への雨水や埃等の侵入が防止される。
【００４４】
この実施形態においては、第１実施形態の作用効果と同様に、建物の屋内から引き出された配線・配管材Ｋを前記保護管１０６の内部を挿通させた後に、例えば、電柱の変圧器に接続する作業と、前記保護管１０６の端部に保護キャップ２１を取付ける作業とを分離できるため、保護キャップ２１を保護管１０６に取付ける作業が簡易になる。即ち、保護キャップ２１が風化等によって経年的に損傷したような場合には、先ず、螺子３０を緩めることにより、キャップ取付部２４からキャップ部２３を取外す。次に、取着部２２を保護管１０６から引抜く。これにより、保護キャップ２１を保護管１０６から取外すことができる。次に、新たな保護キャップ２１を保護管１０６に取り付けるに際しては、配線・配管材Ｋを取着部２２のスリット２２aから該取着部２２内へ導き、且つ、引出口２５を通した後、取着部２２を保護管１０６に取付け、キャップ部２３を螺子３０によってキャップ取付部２４に取り付ける。このように、配線・配管材Ｋの再度の配線工事を全く必要とすることなく、風化等した保護キャップ２１を新たな保護キャップ２１に交換することができる。
【００４５】
図９は第４実施形態を示す。この第４実施形態においては、保護キャップ３１は取着部３２とキャップ部３３との二つの部材によって構成されている。取着部３２は、筒状に形成され、一側が差込口３４になって図９中、一点鎖線で示す保護管１０６が例えば圧入され、他側が引出口３５になって図９中、一点鎖線で示す配線・配管材Ｋが引き出されるようになっている。引出口３５の縁には、前記取着部３２の軸心方向Ｌに沿って凹んだ凹部３６が形成されて図中、一点鎖線で示すように、配線・配管材Ｋが挿通するようになっている。
【００４６】
前記キャップ部３３は、前記取着部３２の引出口３５に例えば圧入等の手段によって取り付けできるものである。キャップ部３３が前記引出口３５に取付けられることにより、引出口３５からの配線・配管材Ｋの脱落が防止されると共に、引出口３５から取着部３２内への雨水や埃等の侵入が防止される。
【００４７】
次に、この第４実施形態の保護キャップ３１の用い方について説明する。先ず、図９中、一点鎖線で示す保護管１０６の上端部に取着部３２を例えば圧入する。次に、建物の屋内から引き出された配線・配管材Ｋを保護管１０６内を挿通した後、該取着部３２の凹部３６を通して取着部３２外へ引き出す。その後、該配線・配管材Ｋを電柱等に設置された変圧器等に接続する。そして、該取着部３２の引出口３５にキャップ部３３を圧入等して取り付けることにより、保護キャップ３１の取付作業が完了する。
【００４８】
この第４実施形態においては、図９中、一点鎖線で示す保護管１０６に取着部３２を例えば圧入した後に、配線・配管材Ｋを該取着部３２の凹部３６を通して該取着部３２外へ引出し、その後、該取着部３２にキャップ部３３を例えば圧入するだけの簡単な作業によって、該凹部３６からの配線・配管材Ｋの外れを防止することができるものである。又、必要に応じて、キャップ部３３を取着部３２から外す場合には、取着部３２の凹部３６に指を差込み、該指によって抉るようにしてキャップ部３３を取着部３２から容易に外すことができるものである。
【図面の簡単な説明】
【００４９】
【図１】図２の矢示Ａ―Ａ方向断面図である。（本発明の第１実施形態）
【図２】保護キャップの斜視図である。      （本発明の第１実施形態）
【図３】保護キャップの底面図である。（本発明の第１実施形態）
【図４】保護キャップの使用を説明する説明図である。（本発明の第１実施形態）
【図５】保護キャップの作用を説明する、図１と同様の断面図である。（本発明の第１実施形態）
【図６】保護キャップの断面図である。（本発明の第１実施形態の変形例）
【図７】保護キャップの断面図である。（本発明の第２実施形態）
【図８】保護キャップの分解斜視図である。（本発明の第３実施形態）
【図９】保護キャップの分解斜視図である。（本発明の第４実施形態）
【図１０】保護カバーの使用を説明する図である。（従来技術）
【図１１】保護カバーの分解斜視図である。（従来技術）
【図１２】保護カバーの取付けを説明する図である。（従来技術）
【図１３】保護カバーの取付けを説明する図である。（従来技術）
【符号の説明】
【００５０】
１  保護キャップ
３  キャップ部
９  取着部
１０  引出口
１２  差込口
１３  スリット
１４  侵入規制部
１５  屈曲空間
２１  保護キャップ
２２  取着部
２２ａ  スリット
２３  キャップ部
２４  キャップ取付部
２５  引出口
２５ａ  開口
３１  保護キャップ
３２  取着部
３３  キャップ部
３６  凹部
１０６  保護管
Ｋ  配線・配管材
【図１】
2005295607.tif 000003
【図２】
2005295607.tif 000004
【図３】
2005295607.tif 000005
【図４】
2005295607.tif 000006
【図５】
2005295607.tif 000007
【図６】
2005295607.tif 000008
【図７】
2005295607.tif 000009
【図８】
2005295607.tif 000010
【図９】
2005295607.tif 000011
【図１０】
2005295607.tif 000012
【図１１】
2005295607.tif 000013
【図１２】
2005295607.tif 000014
【図１３】
2005295607.tif 000015